(57)【要約】  本発明の実施例は、無線ネットワーク内での保護ページング指示機構用の方法及び装置を提供する。他の実施例も記載される。
2009543526.tif 000002
【特許請求の範囲】
【請求項１】
ページングサービスにより、複数の局（STA）のうち少なくとも１つがページングされている可能性があるか否かを示す少なくとも１つのページングインデックスを有するページング指示メッセージ（PIM）を生成し、前記少なくとも１つのページングインデックスは、前記ページングサービスとSTAとの間のインテグリティ組一時キー（IPTK）を識別する不明瞭なキー識別情報又は不明瞭なSTAの媒体アクセス制御（MAC）アドレスのうち少なくとも１つを有し、
前記ページングサービスにより、前記PIMを前記STAに送信することを有する方法。
【請求項２】
前記PIMを生成することは、複数のページングインデックスを有する前記PIMを生成することを有する、請求項１に記載の方法。
【請求項３】
前記ページングサービスにより、前記複数のページングインデックスを表すページングビットマップを生成することを更に有し、
前記PIMは、前記ページングビットマップを含む、請求項２に記載の方法。
【請求項４】
前記ページングビットマップを生成することは、前記IPTKの少なくとも一部の入力を備えた関数を使用することを有する、請求項３に記載の方法。
【請求項５】
前記ページングビットマップを生成することは、IPTKの識別情報又はSTAのMACアドレスのうち少なくとも１つを使用することを有する、請求項４に記載の方法。
【請求項６】
前記識別情報は、2バイトを有する、請求項５に記載の方法。
【請求項７】
前記ページングビットマップを生成することは、少なくとも64ビットを有するページングビットマップを生成することを有する、請求項６に記載の方法。
【請求項８】
前記複数のSTA内でどの特定のSTAが実際にページングされているかを示す特定のページング情報を前記PIM内で送信することを更に有する、請求項１に記載の方法。
【請求項９】
メッセージインテグリティコードを前記PIM内で送信することを更に有する、請求項８に記載の方法。
【請求項１０】
シーケンス番号を前記PIM内で送信することを更に有する、請求項８に記載の方法。
【請求項１１】
装置をホストする局（STA）について、ページングサービスにより生成されたページング指示メッセージ（PIM）であり、前記STAを含む複数の局のうち少なくとも１つがページングされている可能性があるか否かを示す少なくとも１つのページングインデックスを有するPIMを受信するように適合された受信ブロックであり、前記少なくとも１つのページングインデックスは、前記ページングサービスとSTAとの間のインテグリティ組一時キー（IPTK）を識別する不明瞭なキー識別情報又は不明瞭なSTAの媒体アクセス制御（MAC）アドレスのうち少なくとも１つを有する受信ブロックと、
前記受信ブロックに動作可能に結合され、前記PIMを解釈して前記STAがページングされている可能性があるか否かを決定するように適合された制御ブロックと
を有する装置。
【請求項１２】
前記制御ブロックは、前記PIMを解釈して前記STAがページングされている可能性があるか否かを決定し、ページングモードを出てネットワーク内で通信を再開するか否かを決定するように適合される、請求項１１に記載の装置。
【請求項１３】
前記PIMは、複数のページングインデックスを表すページングビットマップを有し、
前記制御ブロックは、前記STAがページングされている可能性があるか否かを決定するために、前記ページングビットマップを解釈するように適合される、請求項１１に記載の装置。
【請求項１４】
前記制御ブロックは、前記PIMが前記STAの被ページング指示要素を含むか否かを決定するように適合され、前記PIM内でメッセージインテグリティコードを確認し、前記PIMが信頼できるか否かを決定し、ページングモードを出て前記ネットワーク内で通信を再開するか否かを決定する、請求項１３に記載の装置。
【請求項１５】
前記制御ブロックは、前記PIM内でシーケンス番号を確認し、前記PIMがリプレイされているか否かを決定する、請求項１４に記載の装置。
【請求項１６】
無指向性アンテナと、
前記アンテナに動作可能に結合され、１つ以上のページンググループ内の局（STA）のページングを制御するように適合されたページングサービスであり、少なくとも１つの前記STAの少なくとも１つのページングインデックスを有するページング指示メッセージ（PIM）を生成し、前記PIMを送信するように適合され、前記少なくとも１つのページングインデックスは、前記ページングサービスとSTAとの間のインテグリティ組一時キー（IPTK）を識別する不明瞭なキー識別情報又は不明瞭なSTAの媒体アクセス制御（MAC）アドレスのうち少なくとも１つを有するページングサービスと
を有するシステム。
【請求項１７】
前記ページングサービスは、複数のページングインデックスを表す複数のビットを含むページングビットマップを含む前記PIMを生成するように適合される、請求項１６に記載のシステム。
【請求項１８】
前記ページングサービスは、どの特定のSTAがページングされているかを示す特定のページング情報を含む前記PIMを生成するように適合される、請求項１６に記載のシステム。
【請求項１９】
前記ページングサービスは、メッセージインテグリティコードを含む前記PIMを生成するように適合される、請求項１６に記載のシステム。
【請求項２０】
前記ページングサービスは、シーケンス番号を含む前記PIMを生成するように適合される、請求項１６に記載のシステム。
【発明の詳細な説明】
【技術分野】
【０００１】
本発明の実施例は、無線ネットワークの分野に関し、特に、無線ネットワーク内での保護ページング指示機構（protected  paging  indication  mechanism）に関する。
【背景技術】
【０００２】
無線ネットワーク内での移動装置のページングが導入されているため、ページング指示機構が偽の保護（forgery  protection）を有することが重要である。更に、移動装置が省電力モード（すなわち、アイドルである（ページングモードとも呼ばれる））にある場合、移動装置が奥深いページング指示メッセージ処理を行わずに、アイドルモード内にあるときにページングされているか否かを効率的に決定できることが重要である。
【図面の簡単な説明】
【０００３】
【図１】本発明の様々な実施例による例示的な無線通信システムを表す概略図
【図２】本発明の様々な実施例による無線ネットワークのページング指示メッセージのフレームボディを表す概略図
【図３】本発明の様々な実施例による無線ネットワークのページング指示メッセージのページングビットマップを表す概略図
【図４】本発明の様々な実施例による無線ネットワークのページング指示メッセージの被ページング局指示要素を表す概略図
【図５】本発明の様々な実施例による無線ネットワークの保護ページング機構の例を示すフローチャート
【図６】本発明の様々な態様を実施するために使用され得る例示的なプロセッサシステムを表す概略図
【発明を実施するための形態】
【０００４】
本発明の実施例は、添付図面と共に以下の詳細な説明により容易に理解できる。この説明を容易にするために、同様の参照符号は同様の構成要素を示す。本発明の実施例は、添付図面の図面に一例として示されており、限定として示されているのではない。
【０００５】
以下の詳細な説明では、この一部を形成する添付図面に参照が行われる。添付図面において、同様の参照符号は同様の部分を示し、本発明が実施され得る実施例が一例として示されている。他の実施例が利用されてもよく、本発明の範囲を逸脱することなく構造的又は論理的な変更が行われてもよいことがわかる。従って、以下の詳細な説明は限定の意味で受け取られるべきではなく、本発明による実施例の範囲は、特許請求の範囲及びその均等物により定められる。
【０００６】
様々な動作は、本発明の実施例を理解する際に有用になり得るように、順に複数の異なる動作として記載されているが、説明の順序は、これらの動作が順序に依存することを示すように解釈されるべきではない。
【０００７】
本発明の目的で、“A／B”はA又はBを意味する。本発明の目的で、“A及び／又はB”は、“（A）、（B）又は（A及びB）”を意味する。本発明の目的で、“A、B及びCのうち少なくとも１つ”は“（A）、（B）、（C）、（A及びB）、（A及びC）、（B及びC）又は（A、B及びC）”を意味する。本発明の目的で、“（A）B”は“（B）又は（AB）”、すなわち、Aが任意選択の要素であることを意味する。
【０００８】
この説明は、“実施例で”という用語を使用することがあり、これは、１つ以上の同じ又は異なる実施例を示してもよい。更に、本発明の実施例に関して使用される“有する”、“含む”、“持つ”等の用語は、同義語である。
【０００９】
本発明の実施例は、無線ネットワーク内での保護ページング指示機構を提供する。
【００１０】
図１を参照すると、例示的な無線通信システム100は、一般的に110及び120として示される１つ以上の無線通信ネットワークを含んでもよい。特に、無線通信システム100は、無線ローカルエリアネットワーク（WLAN）110と、無線メトロポリタンエリアネットワーク（WMAN）120とを含んでもよい。図１は２つの無線通信ネットワークを示しているが、無線通信システム100は、更なる又は少ない無線通信ネットワークを含んでもよい。例えば、無線通信ネットワーク100は、より多い又は少ないWLAN及び／又はWMANを含んでもよい。ここに記載される方法及び装置はこの点に限定されない。
【００１１】
無線通信システム100はまた、一般的に140、142及び144として示される１つ以上の移動装置（加入者局とも呼ばれる）を含んでもよい。例えば、加入者局140、142及び144は、デスクトップコンピュータ、ラップトップコンピュータ、ハンドヘルドコンピュータ、タブレットコンピュータ、セルラ電話、ページャ、オーディオ及び／又はビデオプレイヤ（例えば、MP3プレイヤ又はDVDプレイヤ）、ゲーム装置、ビデオカメラ、デジタルカメラ、ナビゲーション装置（例えば、GPS（global  positioning  satellite）装置）、無線周辺装置（例えば、プリンタ、スキャナ、ヘッドセット、キーボード、マウス等）、医療装置（例えば、心拍数モニタ、血圧モニタ等）、及び／又は他の適切な固定型、携帯型又は移動型電子装置のような無線電子装置を含んでもよい。図１は３つの加入者局を示しているが、無線通信システム100は、より多い又は少ない加入者局を含んでもよい。
【００１２】
加入者局140、142及び144は、無線リンクを介して通信するために、スペクトル拡散変調（例えば、DS-CDMA（direct  sequence  code  division  multiple  access）及び／又はFH-CDMA（frequency  hopping  code  division  multiple  access））、時分割多重（TDM：time-division  multiplexing）変調、周波数分割多重（FDM：frequency-division  multiplexing）変調、直交周波数分割多重（OFDM：orthogonal  frequency-division  multiplexing）変調、マルチキャリア変調（MDM：multi-carrier  modulation）、及び／又は他の適切な変調技術のような様々な変調技術を使用してもよい。
【００１３】
一例では、ラップトップコンピュータ140は、WLAN110（例えば、IEEE（Institute  of  Electrical  and  Electronic  Engineers）により開発されている標準の802.11ファミリー及び／又はこれらの標準の変形及び進展）を実施するために、DSSS（direct  sequence  spread  spectrum）変調及び／又はFHSS（frequency  hopping  spread  spectrum）変調を使用してもよい。例えば、ラップトップコンピュータ140は、無線リンクを介してハンドヘルドコンピュータ142及び／又はスマートフォン144のようなWLAN110に関連する装置と通信してもよい。ラップトップコンピュータ140はまた、無線リンクを介してアクセスポイント（AP：access  point）150と通信してもよい。一般的に、WLAN及びWMANは複数のAP150を含む。AP150は、以下に詳細に説明するように、ルータ152に動作可能に結合されてもよい。代替として、AP150及びルータ152は、単一の装置（例えば、無線ルータ）に統合されてもよい。
【００１４】
ラップトップコンピュータ140は、無線周波数信号を複数の小さい下位信号に分割することにより、大量のデジタルデータを送信するためにOFDM変調を使用してもよい。複数の小さい下位信号は、異なる周波数で同時に送信される。特に、ラップトップコンピュータ140は、WMAN130を実施するために、OFDM変調を使用してもよい。例えば、ラップトップコンピュータ140は、固定型、携帯型及び／又は移動型ブロードバンド無線アクセス（BWA：broadband  wireless  access）ネットワーク（例えば、IEEE2004により公開されたIEEE標準802.16）を提供するために、IEEEにより開発された標準の802.16ファミリーに従って動作し、無線リンクを介して一般的に160、162及び164として示される基地局と通信してもよい。
【００１５】
前記の例のいくつかは、IEEEにより開発された標準に関して記載されているが、ここに開示された方法及び装置は、他の分科会及び／又は標準開発組織（例えば、Wi-Fi（Wireless  Fidelity）アライアンス、WiMAX（Worldwide  interoperability  for  Microwave  Access）フォーラム、IrDA（Infrared  Data  Association）、3GPP（Third  Generation  Partnership  Project）等）により開発された多くの仕様及び／又は標準に容易に適用可能である。ここに記載された方法及び装置はこの点に限定されない。
【００１６】
WLAN110及びWMAN120は、Ethernet（登録商標）、DSL（digital  subscriber  line）、電話回線、同軸ケーブル、及び／又は他の無線通信等への接続を介して、Internet、電話ネットワーク（例えば、PSTN（public  switched  telephone  network）、ローカルエリアネットワーク（LAN）、ケーブルネットワーク、及び／又は他の無線ネットワークのような一般的な公衆又はプライベートネットワーク170に動作可能に結合されてもよい。一例では、WLAN110は、AP150及び／又はルータ152を介して、一般的な公衆又はプライベートネットワーク170に動作可能に結合されてもよい。他の例では、WMAN120は、基地局160、162及び／又は164を介して一般的な公衆又はプライベートネットワーク170に動作可能に結合されてもよい。
【００１７】
無線通信システム100は、他の適切な無線通信ネットワークを含んでもよい。例えば、無線通信システム100は、無線広域ネットワーク（WWAN）（図示せず）を含んでもよい。ラップトップコンピュータ140は、WWANをサポートするために、他の無線通信プロトコルに従って動作してもよい。特に、これらの無線通信プロトコルは、GSM（Global  System  for  Mobile  Communications）技術、WCDMA（Wideband  Code  Division  Multiple  Access）技術、GPRS（General  Packet  Radio  Services）技術、EDGE（Enhanced  Data  GSM  Environment）技術、UMTS（Universal  Mobile  Telecommunications  System）技術のようなアナログ、デジタル及び／又はデュアルモード通信システム技術に基づいてもよく、これらの技術に基づく標準、これらの標準の変形及び進展、及び／又は他の適切な無線通信標準に基づいてもよい。図１は、WLAN及びWMANを示しているが、無線通信システム100は、WLAN、WMAN及び／又はWWANの他の組み合わせを含んでもよい。ここに記載された方法及び装置はこの点に限定されない。
【００１８】
無線通信システム100は、セルラ電話システム、衛星システム、パーソナル通信システム（PCS：personal  communication  system）、双方向無線システム、片方向ページャシステム、双方向ページャシステム、パーソナルコンピュータ（PC）システム、携帯情報端末（PDA）システム、パーソナルコンピュータアクセサリ（PCA：personal  computing  accessory）システム、及び／又は他の適切な通信システムを実施するために、ネットワークインタフェース装置及び周辺装置（例えば、ネットワークインタフェースカード（NIC：network  interface  card））、アクセスポイント（AP）、再分配ポイント、エンドポイント、ゲートウェイ、ブリッジ、ハブ等のような他のWLAN、WMAN及び／又はWWAN装置（図示せず）を含んでもよい。特定の例について前述したが、この開示の対象範囲はこれに限定されない。
【００１９】
本発明の様々な実施例によれば、ページングサービス及び移動加入者局（STA）は、無指向性アンテナと、制御ブロックと、制御ブロック及びアンテナに動作可能に結合された送信ブロックと、制御ブロック及びアンテナに動作可能に結合された受信ブロックとをそれぞれ有する。少なくとも送信ブロック及び受信ブロックは、少なくとも１つの共通の構成要素を有するトランシーバの一部でもよい。少なくともSTA内で、送信及び受信ブロックは、通信モデルの媒体アクセス制御（MAC）レイヤ及び物理（PHY）レイヤを実装する構成要素を有する。STAは、MAC及び／又はPHYレイヤを実装する構成要素の少なくとも一部又は全部を電源オン又はオフにする制御ブロックにより、ページングモードに入ってもよく、ページングモードを出てもよい。
【００２０】
本発明の様々な実施例による処理は、STAが拡張サービスセット（ESS：extended  service  set）でアソシエーション（最初のコンタクト）を完了すると、ネットワーク認証サーバ（NAS：network  authentication  server）が移動局キー（MSK：mobile  station  key）をページングサービスに分配することを提供する。ページングサービスは、AP又は別のネットワークエンティティに実装されてもよい。ページングサービス及びSTAは、MSKからサービス組キー（SPK：Service  Pairwise  Key）を導く。代替として、キャッシュされている事前共有鍵（PSK：pre-shared  key）のビットが使用されてもよい。SPKは、例えば、MSKのビット256-511、STAのMACアドレス、ページングサービス識別子、及びキーの長さを備えたキー導出関数を介して生成されてもよい。本発明の様々な実施例によれば、ページングサービス及びSTAは、SPKからインテグリティ組一時キー（IPTK：Integrity  Pairwise  Temporal  Key）を生成する。IPTKは、SPK、ページングサービス、STAで生成された乱数A、ページングサービスで生成された乱数B、及びキーの長さを備えたキー導出関数を介して生成されてもよい。
【００２１】
本発明の様々な実施例によれば、ネットワーク内のSTAがページングモードに入ると、STAは、（例えば、ページングサービスにより広告又は既知にされた）ページング間隔の前に一時的に又は部分的に“起動（awaken）”してもよい。この間に、ページング指示メッセージ（PIM：paging  indication  message）が、ページングサービスから、場合によってはアクセスポイント（AP）を通じてブロードキャストされる。STAの情報の入来パケットが存在する場合、何らかのエンティティがSTAをページングしている場合、及び／又は何らかのエンティティがSTAとコンタクト又は通信したい場合に、STAはページングサービスによりページングされる状態になる。
【００２２】
図２は、本発明の様々な実施例によるページング指示メッセージ200のフレームボディの例を示している。図示のように、ボディは、MACヘッダ用のフィールド202と、ページングビットマップ用のフィールド204と、被ページング局（paged  station）指示要素用の複数のフィールド206、208、210と、フレームチェックシーケンスフィールド（FCS：frame  check  sequence）212とを含む。
【００２３】
本発明の様々な実施例によれば、ページングビットマップの例は、図３を参照して説明され得る。図３に図示するように、ページングビットマップ300は、識別情報用のフィールド302と、ページングビットマップの長さを示すフィールド304と、ページングビットマップ自体のフィールド306とを含む。一例として、識別情報フィールドは1オクテット（8ビット）でもよく、長さ用のフィールドも1オクテットでもよく、ページングビットマップのフィールドは8オクテットでもよい。従って、この例では、ページングビットマップは64ビットを含み、ビットマップのビット番号N（0<N<64）がオクテット番号[N/8]のビット番号（N  mod  8）に対応するように8オクテットに構成される。各オクテットの下位ビットはビット番号0であり、各オクテットの上位ビットはビット番号7である。ページングビットマップの各ビットは、ページングサービスの基本サービスセット内で１つ以上のSTAのページングインデックスに対応する。ページングインデックスがNで表されていないSTAのページが存在しない場合、ビット番号Nは0である。そのSTAの何らかのページングフレームがページングサービスに到達した場合、ページングビットマップのビット番号Nは1になる。ページングインデックスは、入力としてSTAのキーID又はSTAのMACアドレスのうち少なくとも１つを使用し得る導出関数で設定されてもよい。例えば、ページングインデックス=Hash（6ビット,キーIDの2バイト）でもよい。キーIDは、ページングサービスとSTAとの間で前に記述されたIPTKを識別する。従って、ページングインデックスは、ページングサービスとSTAとの間のIPTKを識別する不明瞭な（obfuscated）キー識別情報又は不明瞭なSTAのMACアドレスのうち少なくとも１つを有する。
【００２４】
従って、様々なSTAのページングビットマップ及びキーIDを生成するために使用される導出関数に応じて、複数のSTAは、同じページングインデックスを有してもよい。従って、ページング間隔中に、ページング指示メッセージの受信時に、ページングビットマップは、ページングされている可能性があるか否かを決定するために、STAにより使用されてもよい。そのページングインデックスが1であることをSTAが見つけると、STAは、ページング指示メッセージ内の被ページング局指示要素のリストを検索し、存在する場合には、その特定のページング情報を見つける。被ページング局指示要素のリストは、インデックスとしてキーIDを使用してもよい。被ページング局指示要素がキーIDによりインデックスされている場合、リストをソートするためにバイナリ検索が適用されてもよい。
【００２５】
本発明の様々な実施例によれば、ページング間隔中にSTAがページングされていない場合、ページングビットマップ要素及びページング局の指示要素は、ページング指示フレームに存在しなくてもよい。これは、ページングビットマップを“ゼロ出力（zero  out）”する必要性を回避し得る。
【００２６】
本発明の様々な実施例によれば、図４に図示するように、被ページング局指示要素400は、複数のフィールドを含む。１つのフィールド402は識別情報用のものでもよく、他のフィールド404は、長さ用のものでもよい。シーケンス番号フィールド406、キーIDフィールド408及びメッセージインテグリティコード（MIC：message  integrity  code）フィールド410も提供されてもよい。一例として、識別情報フィールドは1オクテットでもよく、長さフィールドは1オクテットでもよく、シーケンス番号フィールドは6オクテットでもよく、キーIDフィールドは2オクテットでもよく、MICフィールドは8オクテットでもよい。本発明の様々な実施例によれば、シーケンス番号フィールドはリプレイ保護（replay  protection）を提供し、キーIDフィールドは、MICを計算するために使用されたページングサービスとSTAとの間のIPTKを識別する。前述のように、IPTKはMSKから導かれる。MICフィールドは、全体のページングビットマップ情報要素と被ページング局指示要素内の前のフィールドの全てとで計算されたMICを含んでもよい。
【００２７】
従って、図５を参照すると、500において、STAがページングモードに入る（アイドルになる）ことがわかる。ページング間隔中に、502において、STAは、ページング指示メッセージを処理するために、一時的に又は部分的に起動する。504において、STAは、ページングビットマップの適切なビットをチェックする。設定されていない場合（すなわち、ゼロの値を有する場合）、STAがページングされていないため、STAはアイドルに留まる。ビットが設定されている場合（すなわち、1の値を有する場合）、506において、STAは、実際にSTAがページングされているか否かを決定するために、被ページング局指示要素を検索する。STAについて被ページング局指示要素が見つからない場合、STAはアイドルに留まる。STAについて被ページング局指示要素が見つかった場合、508において、STAはインテグリティチェックを実行する。インテグリティチェックが失敗すると、STAはアイドルモードに留まる。インテグリティチェックが通過すると、510において、STAが実際にページングされ、512において、STAはアイドルモードを出て“起動”する。
【００２８】
図６は、様々な実施例に従ってここに開示された方法及び装置を実施するように適合された例示的なプロセッサシステム2000のブロック図である。プロセッサシステム2000は、デスクトップコンピュータ、ラップトップコンピュータ、ハンドヘルドコンピュータ、タブレットコンピュータ、PDA、サーバ、インターネット装置、及び／又は他の種類の計算装置でもよい。プロセッサシステム2000は、STA、AP、又はページングサービス機能をホストするサーバとして使用されてもよい。
【００２９】
図６に示すプロセッサシステム2000は、チップセット2010を含む。チップセット2010は、メモリコントローラ2012と、入出力（I/O）コントローラ2014とを含む。チップセット2010は、メモリ及びI/O管理機能を提供し、プロセッサ2020によりアクセス可能又は使用可能な複数の汎用及び／又は特殊用途レジスタ、タイマ等を提供し得る。チップセット2010は、１つ以上のWPAN（Wireless  Personal  Area  Network）構成要素、WLAN（Wireless  Local  Area  Network）構成要素、WMAN（Wireless  Metropolitan  Area  Network）構成要素、WWAN（Wireless  Wide  Area  Network）構成要素、及び／又は他の適切なネットワーク構成要素を使用して実装されてもよい。特に、STA又はページングサービスになるように設計された様々な実施例では、チップセット2010は、前述のページング機構の選択された態様を実装して、本発明の教示を与えられてもよい。例えば、プロセッサ2020は、IntelR  CoreTMテクノロジー、IntelR  Pentium（登録商標）テクノロジー、IntelR  ItaniumRテクノロジー、IntelR  CentrinoTMテクノロジー、IntelR  CoreTM  Duoテクノロジー、IntelR  XeonTMテクノロジー、及び／又はIntelR  XScaleRテクノロジーのうち１つ以上を使用して実装されてもよい。代替として、他の処理技術がプロセッサ2020を実装するために使用されてもよい。プロセッサ2020は、キャッシュ2020を含んでもよい。キャッシュ2022は、第１レベルの統合キャッシュ（L1）、第２レベルの統合キャッシュ（L2）、第３レベルの統合キャッシュ（L3）、及び／又はデータを格納する他の適切な構成を使用して実装されてもよい。
【００３０】
メモリコントローラ2012は、プロセッサ2020がバス2040を介して揮発性メモリ2032と不揮発性メモリ2034とを含むメインメモリ2030にアクセスして通信することを可能にする機能を実行してもよい。揮発性メモリ2032は、シンクロナス・ダイナミックランダムアクセスメモリ（DRAM）、ダイナミックランダムアクセスメモリ（DRAM）、RAMBUSダイナミックランダムアクセスメモリ（RDRAM）、及び／又は他の種類のランダムアクセスメモリ装置により実装されてもよい。不揮発性メモリ2034は、フラッシュメモリ、読み取り専用メモリ（ROM）、電気的消去可能プログラム可能読み取り専用メモリ（EEPROM）、及び／又は他の所望の種類のメモリ装置を使用して実装されてもよい。前述のページングサービス機能をホストするのに適したサーバとして使用するように設計された様々な実施例では、メインメモリ2030は、前述のページングサービス機能の全部又は一部を実装する命令（の一時的なコピー）を含んでもよい。
【００３１】
プロセッサシステム2000はまた、バス2040に結合されたインタフェース回路2050を含んでもよい。インタフェース回路2050は、Ethernet（登録商標）インタフェース、USB（universal  serial  bus）、第３世代入出力インタフェース（3GIO）インタフェース、及び／又は他の適切な種類のインタフェースのような如何なる種類のインタフェース標準を使用して実装されてもよい。STA又はAPになるように設計された様々な実施例では、前述のページング機構の選択された態様は、チップセット2010の性能に加えて又はその代わりに、インタフェース回路2050に実装されてもよい。
【００３２】
１つ以上の入力装置2060は、インタフェース回路2050に接続されてもよい。入力装置2060は、個人がデータ及びコマンドをプロセッサ2020に入力することを可能にする。例えば、入力装置2060は、キーボード、マウス、タッチセンシティブ・ディスプレイ、トラックパッド、トラックボール、isopoint、及び／又は音声認識システムにより実装されてもよい。
【００３３】
１つ以上の出力装置2070はまた、インタフェース回路2050に接続されてもよい。例えば、出力装置2070は、ディスプレイ装置（例えば、発光ディスプレイ（LED）、液晶ディスプレイ（LCD）、陰極線管（CRT）ディスプレイ、プリンタ及び／又はスピーカ）により実装されてもよい。インタフェース回路2050は、特に、グラフィックドライバカードを含んでもよい。
【００３４】
プロセッサシステム2000はまた、ソフトウェアとデータとを格納するための１つ以上の大容量記憶装置2080を含んでもよい。このような大容量記憶装置2080の例は、フロッピー（登録商標）ディスク及びドライブと、ハードディスクドライブと、コンパクトディスク及びドライブと、デジタル多用途ディスク（DVD）及びドライブとを含む。前述のページングサービス機能をホストするのに適したサーバとして使用される様々な実施例では、大容量記憶装置は、前述のページングサービス機能の全部又は一部を実装する命令（の一時的なコピー）を含んでもよい。
【００３５】
インタフェース回路2050はまた、ネットワークを介して外部コンピュータとデータ通信を容易にするために、モデム又はネットワークインタフェースカードのような通信装置を含んでもよい。プロセッサシステム2000とネットワークとの間の通信リンクは、Ethernet（登録商標）接続、デジタル加入者線（DSL）、電話回線、セルラ電話システム、同軸ケーブル等のような如何なる種類のネットワーク接続でもよい。
【００３６】
入力装置2060、出力装置2070、大容量記憶装置2080及び／又はネットワークへのアクセスは、I/Oコントローラ2014により制御されてもよい。特に、I/Oコントローラ2014は、プロセッサ2020がバス2040及びインタフェース回路2050を介して入力装置2060、出力装置2070、大容量記憶装置2080及び／又はネットワークと通信することを可能にする機能を実行してもよい。
【００３７】
図６に示す構成要素は、プロセッサシステム2000内の別々のブロックとして示されているが、これらのブロックのいくつかにより実行される機能は、単一の半導体回路内に統合されてもよく、２つ以上の別々の集積回路を使用して実装されてもよい。例えば、メモリコントローラ2012及びI/Oコントローラ2014はチップセット2010内の別々のブロックとして示されているが、メモリコントローラ2012及びI/Oコントローラ2014は、単一の半導体回路内に統合されてもよい。
【００３８】
好ましい実施例の説明の目的で特定の実施例について図示及び説明したが、同じ目的を実現するように計算された広範囲の代替の及び／又は等価な実施例又は実装が、本発明の範囲を逸脱することなく図示及び記載の実施例に代用されてもよいことが、当業者にわかる。当業者は、本発明による実施例が非常に広範囲の方法で実装されてもよいことを容易にわかる。この用途は、ここで説明した実施例のいずれかの適合又は変形をカバーすることを意図する。従って、本発明による実施例は、特許請求の範囲及びその均等物のみによって限定されることを明白に意図する。
【図１】
2009543526.tif 000003
【図２】
2009543526.tif 000004
【図３】
2009543526.tif 000005
【図４】
2009543526.tif 000006
【図５】
2009543526.tif 000007
【図６】
2009543526.tif 000008
【国際調査報告】
2009543526.tif 000009
2009543526.tif 000010